(57)【特許請求の範囲】
【請求項１】
ユーザから入力された文字列に対して出力する予測変換辞書データを格納する辞書データ格納手段と、
前記予測変換辞書データを利用した文字変換処理を実行することによりユーザによって確定された文字列を基に、前記予測変換辞書データを更新する文字変換制御手段と、
前記文字変換処理の実行を検出し、検出された実行の回数である自端末回数を保持する回数情報保持手段と、
前記無線通信可能なエリアの端末装置から前記端末装置での文字変換処理の実行回数である他端末回数を受信する回数情報受信手段と、
前記自端末回数と前記他端末回数とを比較する比較手段と、
前記自端末回数が前記他端末回数よりも多い場合には、前記予測変換辞書データを前記端末装置に送信し、前記自端末回数が前記他端末回数よりも少ない場合には、前記端末装置から予測変換辞書データを受信して前記辞書データ格納手段に格納されている前記予測変換辞書データに反映する辞書データ通信手段と、
を備えることを特徴とする情報処理端末。
【請求項２】
無線通信可能な端末装置を検出する端末検出手段をさらに備え、
回数情報受信手段は、前記端末検出手段によって検出された端末装置に向けて前記他端末回数の送信を要求する、
ことを特徴とする請求項１記載の情報処理端末。
【請求項３】
位置の変化を検出する位置変化検出手段をさらに備え、
前記端末検出手段は、前記位置変化検出手段によって位置の変化が少なくなったタイミングで前記端末装置を検出する、
ことを特徴とする請求項２記載の情報処理端末。
【請求項４】
前記予測変換辞書データを共有する端末装置群を特定する端末装置群情報を保持する端末装置群情報保持手段をさらに備え、
前記端末検出手段は、端末装置群情報を参照して、前記端末装置群に含まれる端末装置を検出する、
ことを特徴とする請求項２又は３に記載の情報処理端末。
【請求項５】
辞書データ格納手段が、ユーザから入力された文字列に対して出力する予測変換辞書データを格納する辞書データ格納ステップと、
文字変換制御手段が、前記予測変換辞書データを利用した文字変換処理を実行することによりユーザによって確定された文字列を基に、前記予測変換辞書データを更新する文字変換制御ステップと、
回数情報保持手段が、前記文字変換処理の実行を検出し、検出された実行の回数である自端末回数を保持する回数情報保持ステップと、
回数情報受信手段が、前記無線通信可能なエリアの端末装置から前記端末装置での文字変換処理の実行回数である他端末回数を受信する回数情報受信ステップと、
比較手段が、前記自端末回数と前記他端末回数とを比較する比較ステップと、
辞書データ通信手段が、前記自端末回数が前記他端末回数よりも多い場合には、前記予測変換辞書データを前記端末装置に送信し、前記自端末回数が前記他端末回数よりも少ない場合には、前記端末装置から予測変換辞書データを受信して前記辞書データ格納手段に格納されている前記予測変換辞書データに反映する辞書データ通信ステップと、
を備えることを特徴とする辞書データ同期方法。
【発明の詳細な説明】
【技術分野】
【０００１】
本発明は、予測変換に用いる予測変換辞書データを同期させる情報処理端末及び辞書データ同期方法に関するものである。
【背景技術】
【０００２】
従来から、複数の情報処理機器間でデータを同期させる方法が検討されている。例えば、無線通信が可能な範囲に同一のユーザ識別番号を有する携帯情報機器が存在する場合に、他の携帯情報機器から受信したデータで、スケジュールデータ、アラームデータ、アドレス帳データ、メモ帳データ等の保存データを更新するデータ同期方法が開示されている（下記特許文献１参照）。このデータ同期方法においては、記憶部に記憶された更新情報が他の携帯情報機器の更新情報より古い場合に、他の携帯情報機器から受信したデータでデータ更新を行う。
【先行技術文献】
【特許文献】
【０００３】
【特許文献１】特開２００６−６５８１３号公報
【発明の概要】
【発明が解決しようとする課題】
【０００４】
しかしながら、データ同期の対象としてユーザからの文字入力履歴に基づいて生成される予測変換辞書データを対象とする場合には、上述した従来のデータ同期方法では、必ずしもユーザにとって利便性の高いデータが得られない傾向にある。すなわち、上記データ同期方法では、データが更新情報の新しいものに更新されるため、必ずしもユーザの文字入力履歴が良く反映されている予測変換辞書データに更新されない場合がある。
【０００５】
そこで、本発明は、かかる課題に鑑みて為されたものであり、ユーザの文字入力履歴が反映された予測変換辞書データにデータを更新することでユーザの利便性を高めることが可能な情報処理端末及び辞書データ同期方法を提供することを目的とする。
【課題を解決するための手段】
【０００６】
上記課題を解決するため、本発明の情報処理端末は、ユーザから入力された文字列に対して出力する予測変換辞書データを格納する辞書データ格納手段と、予測変換辞書データを利用した文字変換処理を実行することによりユーザによって確定された文字列を基に、予測変換辞書データを更新する文字変換制御手段と、文字変換処理の実行を検出し、検出された実行の回数である自端末回数を保持する回数情報保持手段と、無線通信可能なエリアの端末装置から端末装置での文字変換処理の実行回数である他端末回数を受信する回数情報受信手段と、自端末回数と他端末回数とを比較する比較手段と、自端末回数が他端末回数よりも多い場合には、予測変換辞書データを端末装置に送信し、自端末回数が他端末回数よりも少ない場合には、端末装置から予測変換辞書データを受信して辞書データ格納手段に格納されている予測変換辞書データに反映する辞書データ通信手段と、を備える。
【０００７】
或いは、本発明の辞書データ同期方法は、辞書データ格納手段が、ユーザから入力された文字列に対して出力する予測変換辞書データを格納する辞書データ格納ステップと、文字変換制御手段が、予測変換辞書データを利用した文字変換処理を実行することによりユーザによって確定された文字列を基に、予測変換辞書データを更新する文字変換制御ステップと、回数情報保持手段が、文字変換処理の実行を検出し、検出された実行の回数である自端末回数を保持する回数情報保持ステップと、回数情報受信手段が、無線通信可能なエリアの端末装置から端末装置での文字変換処理の実行回数である他端末回数を受信する回数情報受信ステップと、比較手段が、自端末回数と他端末回数とを比較する比較ステップと、辞書データ通信手段が、自端末回数が他端末回数よりも多い場合には、予測変換辞書データを端末装置に送信し、自端末回数が他端末回数よりも少ない場合には、端末装置から予測変換辞書データを受信して辞書データ格納手段に格納されている予測変換辞書データに反映する辞書データ通信ステップと、を備える。
【０００８】
このような情報処理端末或いは辞書データ同期方法によれば、予測変換辞書データを利用した文字変換処理の回数が自端末回数として検出され、無線通信可能なエリアの端末装置からその端末装置での文字変換処理の回数が他端末回数として受信され、その自端末回数が他端末回数よりも多い場合には、予測変換辞書データが端末装置に送信され、自端末回数が他端末回数よりも少ない場合には、端末装置から受信された予測変換辞書データが予測変換辞書データに反映される。これにより、予測変換辞書データを用いた文字変換処理が頻繁に利用されている端末に保持されている予測変換辞書データが、その端末と無線通信可能な範囲に近づいた他の端末の予測変換辞書データに反映されるので、複数の端末内でユーザの文字入力履歴が最も良く反映された予測変換辞書データを保持させることができる。その結果、文字変換入力を行う端末のユーザの利便性を高めることができる。
【０００９】
無線通信可能な端末装置を検出する端末検出手段をさらに備え、回数情報受信手段は、端末検出手段によって検出された端末装置に向けて他端末回数の送信を要求する、ことが好ましい。こうすれば、無線通信可能な範囲に近づいた端末との間で効率よく予測変換辞書データの同期を実行することができる。
【００１０】
また、位置の変化を検出する位置変化検出手段をさらに備え、端末検出手段は、位置変化検出手段によって位置の変化が少なくなったタイミングで端末装置を検出する、ことも好ましい。かかる構成を採れば、持ち運ばれた可能性の高い端末から他の端末装置の検出が開始されるので、ユーザによって利用された可能の高い端末によってデータの同期処理が開始され、複数の端末での無駄な電力消費を抑えることができる。
【００１１】
さらに、予測変換辞書データを共有する端末装置群を特定する端末装置群情報を保持する端末装置群情報保持手段をさらに備え、端末検出手段は、端末装置群情報を参照して、端末装置群に含まれる端末装置を検出する、ことも好ましい。この場合、予め互いにデータ同期を行う複数の端末を登録しておきそれらの複数の端末間でデータ同期を実行することで、ユーザの利便性をさらに高めることができる。
【発明の効果】
【００１２】
本発明によれば、ユーザの文字入力履歴が反映された予測変換辞書データにデータを更新することでユーザの利便性を高めることができる。
【図面の簡単な説明】
【００１３】
【図１】本発明の好適な一実施形態にかかる携帯電話端末の概略構成図である。
【図２】図１の文字変換履歴情報格納部に格納される文字変換履歴情報のデータ構成を示す図である。
【図３】図１の端末装置群情報格納部に格納される端末装置群情報のデータ構成を示す図である。
【図４】図１の携帯電話端末の移動状態を示す図である。
【図５】図１の携帯電話端末による文字変換処理時の動作を示すフローチャートである。
【図６】図１の携帯電話端末による予測変換辞書データの同期処理時の動作を示すフローチャートである。
【図７】図１の携帯電話端末による予測変換辞書データの同期処理時の動作を示すフローチャートである。
【発明を実施するための形態】
【００１４】
以下、図面とともに本発明による情報処理端末及び辞書データ同期方法の好適な実施形態について詳細に説明する。なお、図面の説明においては同一要素には同一符号を付し、重複する説明を省略する。
【００１５】
図１は、本発明の好適な一実施形態にかかる携帯電話端末１の概略構成図である。図１に示す携帯電話端末１は、ＩＭＴ−２０００（International Mobile Telecommunication 2000）等の移動体通信方式を採用した移動体通信ネットワークに接続可能な情報処理端末である。なお、本実施形態にかかる情報処理端末としては、ＰＤＡ（Personal Digital Assistants）、パーソナルコンピュータ、スマートフォン等の様々な端末装置が採用可能である。
【００１６】
この携帯電話端末１は、文章データ作成時、電子メール作成時やＷＥＢサイトへの検索キーワード入力時等に文章の作成を行おうとするユーザが使用する情報通信端末であり、機能的な構成要素として、ディスプレイ等のデータや画像等を表示するための表示部２１と、入力ボタン、タッチパネル等のユーザから文字列の入力を受け付ける入力部２２と、文字変換制御部２３と、変換回数保持部（回数情報保持手段）２４と、位置変化検出部（位置変化検出手段）２５と、端末検出部（端末検出手段）２６と、回数情報送受信部（回数情報受信部）２７と、比較部（比較手段）２８と、辞書データ通信部（辞書データ通信手段）２９と、辞書データ格納部（辞書データ格納手段）３０と、文字変換履歴情報格納部３１と、端末装置群情報格納部（端末装置群情報保持手段）３２とを備えている。以下、携帯電話端末１の各構成要素の機能について詳細に説明する。
【００１７】
携帯電話端末１の入力部２２は、ユーザから入力キー、タッチパネル等のデータ入力装置（図示せず）を利用した文字列データの入力を受け付け、その文字列データを文字変換制御部２３に引き渡す機能を有する。また、入力部２２は、ユーザによる文章作成時に、表示部２１に表示された複数の予測変換候補の中から入力文字を確定させるための確定入力を、ユーザから受け付ける機能を有する。
【００１８】
文字変換制御部２３は、ユーザによる文章作成時に、ユーザから入力された文字列データに応じて、辞書データ格納部３０を参照することにより、その文字列データに対する複数の予測変換候補を表示するように制御する。すなわち、辞書データ格納部３０には、入力文字列データに対応する予測変換候補が予測変換辞書データとして予め格納されており、文字変換制御部２３は、その予測変換辞書データの中から入力文字列データに対応する予測変換候補を抽出して表示させる。
【００１９】
また、文字変換制御部２３は、表示させた予測変換候補に対するユーザからの選択入力を入力部２２を介して受け付け、受け付けた選択入力に応じて予測変換候補を入力文字として確定させるように制御する。確定された予測変換候補は文章データとして電子メール用プログラム、文章作成用プログラムやブラウザ等の各種アプリケーションプログラムに引き渡される。また、文字変換制御部２３は、文章作成時に入力文字が確定される度に、その入力文字やその前後に入力された文字等を基に辞書データ格納部３０に格納された予測変換辞書データを更新すると共に、確定した入力文字に関する文字変換履歴情報を生成し、文字変換履歴情報格納部３１に格納する。
【００２０】
図２には、文字変換制御部２３によって生成された文字変換履歴情報の一例を示している。同図に示すように、ユーザから受け付けられた入力文字“お”と、それに対する予測変換候補の中から入力文字として確定された確定文字列“おはよう”と、その入力文字として確定された日時“2011/2/9 10:01:20”とが互いに関連付けて格納される。この文字変換履歴情報は、ユーザによって入力文字が確定される度に蓄積して格納される。
【００２１】
変換回数保持部２４は、所定のタイミングで、予測変換辞書データを利用した文字変換処理の実行を検出し、その実行回数に関する自端末回数を保持する。具体的には、変換回数保持部２４は、文字変換履歴情報格納部３１を参照し、所定期間内の日時に関する文字変換履歴情報のレコード数をカウントし、そのカウント数を自端末回数として保持する。例えば、変換回数保持部２４は、直近の４８時間以内に日時が含まれる文字変換履歴情報をカウントする。ここで、自端末回数を検出するタイミングとしては、一定の周期ごとのタイミングや、ユーザによって入力文字が確定されたタイミング、下記の位置変化検出部２５によって位置の変化が少なくなったことが検出されたタイミング等が挙げられる。
【００２２】
位置変化検出部２５は、携帯電話端末１の位置の変化を検出する。すなわち、位置変化検出部２５は、加速度センサを内蔵し携帯電話端末１の加速度を検出し、検出した加速度を端末検出部２６に通知する。なお、位置変化検出部２５は、ＧＰＳ測位機能や移動体通信を利用して現在位置する基地局エリアを特定する測位機能等によって位置変化を検出してもよい。
【００２３】
端末検出部２６は、位置変化検出部２５から通知された加速度を基に、携帯電話端末１の位置の変化が生じた後に、その位置の変化が少なくなったタイミング、すなわち、加速度がいったん大きくなってから減少したタイミングで、無線通信可能な端末装置を検出する。例えば、端末検出部２６は、無線ＬＡＮ通信や、ブルートゥース通信、赤外線通信等の無線通信を利用して、予測変換辞書データの同期処理を要求する要求信号を周辺に向けて送信し、その要求信号を受信した端末装置を特定する端末ＩＤを含む応答信号を、周辺の端末装置から受信することにより、無線通信可能な端末装置を検出する。ここで、端末検出部２６は、端末装置群情報格納部３２に格納された端末装置群情報を参照することにより、その端末装置群情報によって特定される端末群に含まれる端末装置のみを検出する。この端末装置群情報格納部３２には、図３に示すように、入力部２２を介して予めユーザによって登録された端末装置群情報が格納されており、この端末装置群情報には、予測変換辞書データの同期処理の対象である端末装置のグループを特定する複数の端末ＩＤの組み合わせが格納されている。そして、端末検出部２６は、端末装置群情報に含まれる端末ＩＤを含む応答信号を受信した場合に、その端末ＩＤによって特定される端末装置を、無線通信可能な端末装置として検出する。なお、端末検出部２６は、予め複数の端末装置との間でパスワード認証等によるペアリング設定を実施しておき、ペアリング設定された端末装置のみを検出するようにしてもよい。
【００２４】
回数情報送受信部２７は、端末検出部２６によって無線通信可能なエリア内の端末装置が検出された際に検出された端末装置が２台以上である場合には、その端末装置から予測変換辞書データを利用した文字変換処理の実行回数に関する他端末回数を、無線通信を利用して受信する。すなわち、回数情報送受信部２７は、端末検出部２６から検出した端末装置に関する端末ＩＤを受け取り、その端末ＩＤによって特定される端末装置に向けて、他端末回数の送信を要求する要求信号を送信し、それに対して端末装置から送信された他端末回数を受信する。また、端末検出部２６によって検出された無線通信可能なエリア内の端末装置が１台である場合には、その端末装置に対して、変換回数保持部２４によって保持されている自端末回数を、無線通信を利用して送信する。
【００２５】
比較部２８は、変換回数保持部２４によって保持されている自端末回数と、端末検出部２６によって検出された端末装置から受信された他端末回数とを比較する。その結果、比較部２８は、自端末回数が他端末回数よりも多い場合には、自端末を予測変換辞書データの反映元となる“マスタ端末”、他端末回数を受信した複数の端末装置を予測変換辞書データの反映先となる“スレーブ端末”として設定し、その設定内容を辞書データ通信部２９に引き渡す。一方、自端末回数が他端末回数よりも少ない場合には、自端末を“スレーブ端末”、他端末回数を受信した複数の端末装置のうちで一番他端末回数が多い端末装置を“マスタ端末”として設定し、その設定内容を辞書データ通信部２９に引き渡す。
【００２６】
辞書データ通信部２９は、自端末がマスタ端末に設定された場合には、辞書データ格納部３０に格納されている予測変換辞書データを、無線通信によって全てのスレーブ端末に送信し、その予測変換辞書データを反映させる。また、自端末がスレーブ端末に設定された場合には、マスタ端末に対して予測変換辞書データを要求し、それに応じてマスタ端末から送信される予測変換辞書データを受信して、受信した予測変換辞書データを辞書データ格納部３０に格納されている予測変換辞書データに反映する。詳細には、受信した予測変換辞書データを、辞書データ格納部３０に格納されている予測変換辞書データに上書きする。
【００２７】
以下、図４〜７を参照して、携帯電話端末１の動作について説明するとともに、併せて携帯電話端末１における辞書データ同期方法について詳述する。図４に示すように、携帯電話端末１が移動することによって携帯電話端末１の無線通信可能なエリアに端末装置１Ａ，１Ｂの両方又は一方が位置したことを想定して、その際の携帯電話端末１の動作について説明する。ここで、端末装置１Ａ，１Ｂは、携帯電話端末１と同一の機能構成を有しているものとする。図５は、携帯電話端末１による文字変換処理時の動作を示すフローチャート、図６及び図７は携帯電話端末１による予測変換辞書の同期処理時の動作を示すフローチャートである。
【００２８】
まず、図５を参照して、携帯電話端末１の文字変換処理時の動作を説明する。最初に、携帯電話端末１のユーザから、電子メール用プログラム等のアプリケーションプログラムを利用した文字変換処理の起動指示が受け付けられる（ステップＳ１０１）。そうすると、文字変換制御部２３によって、表示部２１に文章データの入力画面が表示された後に、ユーザによって入力された入力文字列に対する予測変換候補が辞書データ格納部３０から抽出されて表示されるとともに、ユーザから入力文字の確定操作が受け付けられる（ステップＳ１０２）。これに応じて、文字変換制御部２３により、入力文字列と確定文字列との組み合わせが文字変換履歴情報として、文字変換履歴情報格納部３１に格納される（ステップＳ１０３）。さらに、変換回数保持部２４により、所定のタイミングで文字変換履歴情報格納部３１が参照され、直近の所定期間内の日時に関する文字変換履歴情報のレコード数がカウントされ、そのカウント数が自端末回数として保持される（ステップＳ１０４）。
【００２９】
次に、図６を参照して、携帯電話端末１の予測変換辞書データの同期処理時の動作を説明する。まず、位置変化検出部２５により、携帯電話端末１の移動が検出される（ステップＳ２０１）。その検出結果を受けて、端末検出部２６により、携帯電話端末１の移動が生じた後にその移動停止が検出されたか否かが判定される（ステップＳ２０２）。
【００３０】
上記判定の結果、移動停止が検出されなかった場合は（ステップＳ２０２；ＮＯ）、上記判定が繰り返される。一方、上記判定の結果、移動停止が検出された場合は（ステップＳ２０２；ＹＥＳ）、端末検出部２６によって、無線通信を利用して同期処理要求が周辺に送信されることにより、無線通信可能な端末装置１Ａ，１Ｂが検出される（ステップＳ２０３）。
【００３１】
そして、端末検出部２６によって、無線通信可能な端末装置１Ａ，１Ｂから受信される応答信号が有るか否かが判定される（ステップＳ２０４）。その結果、応答信号が無いと判定された場合には（ステップＳ２０４；ＮＯ）、データ同期処理が終了される。一方、応答信号が有ると判定された場合には（ステップＳ２０４；ＹＥＳ）、さらに、回数情報送受信部２７により、応答信号を受信した端末装置が２台以上であるか否かが判定される（ステップＳ２０５）。
【００３２】
上記判定の結果、応答信号を受信した端末装置が２台以上であると判定された場合、例えば、端末装置１Ａ，１Ｂの両方であった場合には（ステップＳ２０５；ＹＥＳ）、回数情報送受信部２７により、それらの端末装置１Ａ，１Ｂに他端末回数の送信を要求する要求信号が送信され、それに対して端末装置１Ａ，１Ｂから送信された他端末回数が受信される（ステップＳ２０６）。その後、比較部２８により、変換回数保持部２４によって保持された自端末回数と、端末検出部２６によって検出された端末装置１Ａ，１Ｂから受信された他端末回数とが比較される（ステップＳ２０７）。
【００３３】
その結果、自端末回数が他端末回数より多い場合には（ステップＳ２０７；ＹＥＳ）、辞書データ通信部２９により、辞書データ格納部３０に格納されている予測変換辞書データが、端末検出部２６によって検出された端末装置１Ａ，１Ｂに送信される（ステップＳ２０８）。一方、自端末回数が他端末回数より少ない場合には（ステップＳ２０７；ＮＯ）、辞書データ通信部２９により、端末装置１Ａ，１Ｂのうちで他端末回数が最も多い端末装置から予測変換辞書データが受信され、受信された予測変換辞書データが辞書データ格納部３０に格納されている予測変換辞書データに上書きされる（ステップＳ２０９）。
【００３４】
図７に移って、ステップＳ２０５における判定の結果、応答信号を受信した端末装置が２台未満であると判定された場合、例えば、端末装置１Ａの１台のみであった場合には（ステップＳ２０５；ＮＯ）、回数情報送受信部２７により、その端末装置１Ａに向けて、変換回数保持部２４によって保持された自端末回数が、端末装置１Ａにとっての他端末回数として、送信される（ステップＳ２１０）。その後、端末装置１Ａにより、端末装置１Ａに保持された自端末回数と、回数情報送受信部２７により送信された他端末回数とが比較される（ステップＳ２１１）。
【００３５】
その結果、端末装置１Ａにおいて自端末回数が他端末回数より多いと判断された場合には（ステップＳ２１１；ＹＥＳ）、携帯電話端末１において、端末装置１Ａから予測変換辞書データが受信された後に、辞書データ格納部３０に格納されている予測変換辞書データに上書きされる（ステップＳ２１２）。一方、端末装置１Ａにおいて自端末回数が他端末回数より少ない場合には（ステップＳ２１１；ＮＯ）、端末装置１Ａにおいて、携帯電話端末１から予測変換辞書データが受信された後に、受信された予測変換辞書データが端末装置１Ａに格納されている予測変換辞書データに上書きされる（ステップＳ２１３）。
【００３６】
以上説明した携帯電話端末１によれば、予測変換辞書データを利用した文字変換処理の回数が自端末回数として検出され、無線通信可能なエリアの端末装置１Ａ，１Ｂからその端末装置１Ａ，１Ｂでの文字変換処理の回数が他端末回数として受信され、その自端末回数が他端末回数よりも多い場合には、予測変換辞書データが端末装置１Ａ，１Ｂに送信され、自端末回数が他端末回数よりも少ない場合には、端末装置１Ａ，１Ｂのうちの他端末回数が多い端末装置から受信された予測変換辞書データが予測変換辞書データに反映される。これにより、予測変換辞書データを用いた文字変換処理が頻繁に利用されている端末に保持されている予測変換辞書データが、その端末と無線通信可能な範囲に近づいた他の端末の予測変換辞書データに反映されるので、複数の端末装置１，１Ａ，１Ｂ内でユーザの文字入力履歴が最も良く反映された予測変換辞書データを保持させることができる。その結果、複数の端末でユーザにとって最適化された予測変換候補を表示させることができ、スムーズな文字入力を実現し、文字変換入力を行う端末のユーザの利便性を高めることができる。
【００３７】
携帯電話端末１は、端末検出部２６によって検出された端末装置１Ａ，１Ｂに向けて他端末回数の送信を要求するので、無線通信可能な範囲に近づいた端末との間で効率よく予測変換辞書データの同期を実行することができる。
【００３８】
また、端末検出部２６が位置変化検出部２５によって移動が停止したタイミングで端末装置１Ａ，１Ｂを検出することで、持ち運ばれた可能性の高い端末から他の端末装置の検出が開始されるので、ユーザによって利用された可能の高い端末によってデータの同期処理が開始される。これにより、動きが少なくユーザにより利用された可能性が少ない端末しか存在せず、データ同期の必要性がない場合までデータ同期処理を実行することを防げるので、複数の端末での無駄な電力消費を抑えることができる。また、移動された後に周辺の端末装置を検出することで効率的に端末装置を検出することもできる。
【００３９】
さらに、端末検出部２６は、端末装置群情報を参照して端末装置群に含まれる端末装置のみを検出するので、予め互いにデータ同期を行う複数の端末を登録しておきそれらの複数の端末間でデータ同期を実行することで、データ同期処理を効率的に実行させて、ユーザの利便性をさらに高めることができる。
【符号の説明】
【００４０】
１…携帯電話端末（情報処理端末）、１Ａ，１Ｂ…端末装置（情報処理端末）、２４…変換回数保持部（回数情報保持手段）、２５…位置変化検出部（位置変化検出手段）、２６…端末検出部（端末検出手段）、２７…辞書データ格納部（辞書データ格納手段）、２７…回数情報送受信部（回数情報受信手段）、２８…比較部（比較手段）、２９…辞書データ通信部（辞書データ通信手段）、３０…辞書データ格納部（辞書データ格納手段）、３２…端末装置群情報格納部（端末装置群情報保持手段）。
【図１】
0005244937.tif 000002
【図２】
0005244937.tif 000003
【図３】
0005244937.tif 000004
【図４】
0005244937.tif 000005
【図５】
0005244937.tif 000006
【図６】
0005244937.tif 000007
【図７】
0005244937.tif 000008